(57)【特許請求の範囲】
【請求項１】
電荷結合素子部を有し、原稿を光学的に読み取る読取手段と、
前記読取手段により得られた画像を補正処理する画像処理手段と、
各種データを記憶する記憶手段と、
前記読取手段と前記画像処理手段での処理手順を制御する制御手段とを備え、
前記読取手段は、前記電荷結合素子部からの黒信号について、偶数番目画素と奇数番目画素の黒レベル出力値の平均値をそれぞれ求め、前記偶数番目画素の平均値と前記奇数番目画素の平均値に基づいて黒レベルの平均値を求め、前記偶数番目画素の平均値、前記奇数番目画素の平均値及び前記黒レベルの平均値に基づいて全画素に対する黒レベル出力値を所定の範囲内とした後、入力画像のダイナミックレンジを確保するように白レベル出力値を調整するため、前記補正処理の基準になる基準白板と原稿用紙との白レベル出力値の差が所定の範囲内となるように、ゲイン補正量、クランプ補正量及び入力画像信号をディジタル化するときのリファレンスデータを算出して、前記記憶手段に記憶させる読取レベル補正手段を含むことを特徴とする画像再生装置。
【請求項２】
前記読取レベル補正手段において、前記基準白板の白レベル出力値を調整する位置を任意に設定しうることを特徴とする請求項１に記載の画像再生装置。
【請求項３】
前記読取レベル補正手段は、さらに、検出信号フィードバック手段とフィードバック制御手段とを具備し、前記レベルの自動的な補正は、前記読取手段が前記原稿を読み取り、前記画像処理手段が制御対象レベルを検出し、該検出されたレベルの信号を前記フィードバック制御手段のフィードバック量の制御の下に前記検出信号フィードバック手段がフィードバックすることを特徴とする請求項２に記載の画像再生装置。
【請求項４】
前記画像再生装置は、さらに、制御対象レベルのサンプリングと制御量のフィードバックとに関し、検出とフィードバックによるレベル変更で、レベル変動時の信号衝突を回避する制御手段を具備することを特徴とする請求項１に記載の画像再生装置。
【請求項５】
前記画像処理手段により補正処理された画像を外部装置に出力する外部出力手段を備え、
前記外部出力手段は、前記読取レベル補正手段による基準白板の白レベル出力値の調整結果、フィードバック制御量を示すデータをも出力することを特徴とする請求項１ないし請求項４の何れか１項に記載の画像再生装置。
【発明の詳細な説明】
【０００１】
【発明の属する技術分野】
本発明は、ディジタル複写機、ファクシミリ装置及びスキャナ装置等に適用される画像再生装置に関し、特に、これらの読取系の各種レベル調整を自動的に設定できる画像再生装置に関する。
【０００２】
【従来の技術】
従来、画像処理装置での光学読み取りは、画像処理系のシェーディング補正において、基準白板の状態に関らず正しいシェーディングデータを生成するように、白板読取時の読取制御を行っている。つまり、シェーディングデータ読取時に光学系の読取制御を行うことで正しいシェーディングデータを生成することを図っている。このもくろみのため、システムの製造及び検査時には各々の制御対象レベルの調整は手動調整を原則とし、手動調整された後、実際のデータ読取時に読取系の焦点制御が行われる。
【０００３】
特開昭６０−１５４７６９号において、基準白板に傷やゴミが当たっても、光学系の焦点をずらすことによって、光源や結像レンズのシェーディングを正しく検出し、画像情報を正しく読み取る光学読取装置が提案されている。
【０００４】
【発明が解決しようとする課題】
しかしながら、上記従来技術では、大前提である手動調整がばらついていたり、あるいは自動調整であっても手間のかかる調整であると製造・検査工程を含めた省力化及び読取精度の向上には貢献し難い問題点を伴う。
【０００５】
本発明は、基本的な制御対象項目の調整・設定が容易に行え、読取精度を向上した画像再生装置を提供することを目的とする。
【０００６】
【課題を解決するための手段】
かかる目的を達成するため、本発明の画像再生装置は、電荷結合素子部を有し、原稿を光学的に読み取る読取手段と、前記読取手段により得られた画像を補正処理する画像処理手段と、各種データを記憶する記憶手段と、前記読取手段と前記画像処理手段での処理手順を制御する制御手段とを備え、前記読取手段は、前記電荷結合素子部からの黒信号について、偶数番目画素と奇数番目画素の黒レベル出力値の平均値をそれぞれ求め、前記偶数番目画素の平均値と前記奇数番目画素の平均値に基づいて黒レベルの平均値を求め、前記偶数番目画素の平均値、前記奇数番目画素の平均値及び前記黒レベルの平均値に基づいて全画素に対する黒レベル出力値を所定の範囲内とした後、入力画像のダイナミックレンジを確保するように白レベル出力値を調整するため、前記補正処理の基準になる基準白板と原稿用紙との白レベル出力値の差が所定の範囲内となるように、ゲイン補正量、クランプ補正量及び入力画像信号をディジタル化するときのリファレンスデータを算出して、前記記憶手段に記憶させる読取レベル補正手段を含むことを特徴とする。
【０００７】
また、前記読取レベル補正手段において、前記基準白板の白レベル出力値を調整する位置を任意に設定しうることを特徴とする構成にするとよい。
【０００８】
さらに、読取レベル補正手段は、検出信号フィードバック手段とフィードバック制御手段とを具備し、レベルの自動的な補正は、読取手段が原稿を読み取り、画像処理手段が制御対象レベルを検出し、この検出されたレベルの信号をフィードバック制御手段のフィードバック量の制御の下に検出信号フィードバック手段がフィードバックするとよい。
【０００９】
さらに、画像再生装置は、制御対象レベルのサンプリングと制御量のフィードバックとに関し、検出とフィードバックによるレベル変更で、レベル変動時の信号衝突を回避する制御手段を具備するとよい。
【００１０】
なお、前記画像処理手段により補正処理された画像を外部装置に出力する外部出力手段を備え、前記外部出力手段は、前記読取レベル補正手段による基準白板の白レベル出力値の調整結果、フィードバック制御量を示すデータをも出力することで、読取画像、基準白板濃度調整の効果、フィードバック制御量を表示可能とするとよい。
【００１１】
【発明の実施の形態】
次に添付図面を参照して本発明による画像再生装置の実施の形態を詳細に説明する。図１を参照すると本発明の画像再生装置の一実施形態が示されている。
【００１２】
図１は本実施形態による画像再生装置の構成を示すブロック図である。画像を読み込むスキャナ部（ＳＢＵ）１０、読み込んだ画像の補正及び処理画像のビデオ制御を行う画像処理部（ＩＰＵ）１１、ＳＢＵ１０のランプやモータ等の制御並びにＩＰＵ１１の処理モード設定等の制御を行う制御部（ＣＰＵ）１２、処理命令を入力する操作部、各々のユニット間を連結するビデオバス、制御バスより構成される。
【００１３】
ＩＰＵ１１の内部構成を図２に示す。入力画像の黒補正、シェーディング補正を行うシェーディング補正ブロック１１１、ＭＴＦ補正及び平滑処理を行うフィルタ部１１２、入力画像の主走査方向電気変倍を行う変倍ブロック１１３、二値化、誤差拡散処理などを行う階調処理ブロック１１４、ＣＰＵ１２からの制御命令を解析するコマンドブロック１１５、内部画像信号を外部ユニットと接続する外部Ｉ／Ｆ１１６及びＩＰＵ１１の内部のビデオバス１１７より構成される。
【００１４】
外部ユニットとのＩ／Ｆは画像信号、画素クロック、有効画像を規定するゲート信号を明確にし、いろいろなユニットとの接続が可能である。画像再生装置で言えば、ＦＡＸユニット、プリンタユニット、画像記憶ユニット等が拡張可能である。
【００１５】
スキャナ部１０の機構を図３に示す。基準白板とランプのみを明記するが、ランプの移動する方向が副走査方向、ランプの照射しているラインを主走査方向と規定し、原稿中の１ラインのランプによる反射光がＣＣＤ１２１に入力される。基準白板は原稿の移送面近傍に設けられる。
【００１６】
通常の画像読み取りは、原稿の読み取りに先だって基準白板面を走査する。基準白板での読取信号を光学系の補正のための参照データとし、原稿読取信号のシェーディング補正に用いる。これにより正しい入力画像が取り込まれる。
【００１７】
入力画像の光学系の補正に関し調整が不適切であると、読み取り以降の画像処理および外部ユニットへの出力画像に関し不具合を生じる。それは、濃度不足、濃度の不均一、階調のつぶれ等である。調整項目としてはＥＶＥＮチャンネル、ＯＤＤチャンネルのレベル差補正、読取系の信号ゲイン補正、原稿入力に追従する自動ゲイン制御、ゼロクランプの直流制御、Ａ／Ｄ変換器のリファレンス制御等があり、自動、半自動、手動の各手段で調整を行う。
【００１８】
上記調整箇所及びＳＢＵ１０の構成を図４に示す。光学系からの読取信号はＣＣＤ１２１において電気信号に変換される。処理を高速に行うためＣＣＤ１２１の出力信号はＥＶＥＮチャンネルとＯＤＤチャンネルの２系統に分割する。各々のチャンネルにおいて、サンプルホールド回路（Ｓ／Ｈ）１２２およびゼロクランプ回路（Ｚ／Ｃ）１２３を持つ。ここで問題となるのが、両チャンネルのレベル差（Ｅ／Ｏ差）である。信号バッファ、Ｓ／Ｈ１２２とＺ／Ｃ１２３との間のばらつきを考慮する必要がある。そのため、Ｅ／Ｏ差を減ずるように各々のＺ／Ｃ１２３の回路にオフセット調整を持たせる。一般的に専用治具を用いた自動調整、もしくは自動調整による場合もあるが、本実施形態においては、このオフセット微調整もシステム中のデータパスを用いて自動制御を行う。
【００１９】
ＥＶＥＮ、ＯＤＤ両チャンネルのレベルが同一にされた後、両チャンネル時系列信号をミキサー（ＭＩＸ）１２４で再度合成する。合成された信号は、必要濃度幅が再現できるようバッファ１２５のゲインを調整し、信号のダイナミックレンジを調整する。また、実際の原稿読み取り中は原稿濃度を正しく再現できるようオートゲインコントロール（ＡＧＣ）１２６機構を制御し、原稿内のノード変動に追従させる。ゲインを制御された信号は、再度ゼロクランプ回路１２７において信号クランプを行う。この時クランプ回路はクランプレベルの制御を行う。以上レベル調整されたアナログ信号は、Ａ／Ｄ変換器１２８においてリファレンス信号に基づきディジタル化される。
【００２０】
以上ＳＢＵ１０の回路に関し、いくつかの回路初期設定、原稿読取時にフィードバック制御を行う機構も有るが、本実施形態において、これらの調整箇所は全て読取信号のＩＰＵ１１からのフィードバック制御量に基づく自動調整の対象とする。これには製造出荷時に調整するもの、または装置稼働ごとに設定されるものがある。しかし本発明は、出荷時の調整を簡便な装置設定で自動的に行うものである。黒レベル、白レベル及び基準白板濃度調整がこれに当たる。
【００２１】
図５に調整手順を示す。図４のＳＢＵ１０機構と対応させると、まず、ＣＣＤ出力の黒レベルに関し、その出力レベルのＥ／Ｏ差（偶数番目画素の黒レベルと奇数番目画素の黒レベルを同一にする）を調整する（Ｓ１１）。次に全画素に対する黒レベルの値を所定の範囲内に押さえ込む（Ｓ１２）。その後入力画像のダイナミックレンジを確保できるように白レベルの出力値を調整する（Ｓ１３）。ここまでは製造出荷時のみならず、通常の装置稼働時、原稿読取ごとに設定される。製造出荷時は最後に、基準白板の濃度調整（Ｓ１４）を自動設定で行う。これは白板濃度のばらつき、白板上のゴミ、傷の影響を回避し、最適なＡ／Ｄ変換器１２８のリファレンス制御量を算出し、メモリに設定するためである。
【００２２】
基準白板の濃度調整に関し、詳細な制御フローを図６に示す。基準白板の濃度調整は、ばらつき量の抑制とともに標準的な原稿用紙（白紙）に対する白レベルのレベル差の変動も抑制する。調整された基準白板の白レベル値が、標準的な原稿用紙の白レベルと掛け離れていると、読取画像のダイナミックレンジが狭まり、再生画像が薄めになってしまう。このため、基準白板と原稿用紙間の白のレベル差も有る範囲内に押さえ込み、良好な画像再生を行う。
【００２３】
白板濃度調整に先だって、原稿台の読取面上に標準的な原稿用紙（白紙）を置いておく。黒及び白レベル調整後の入力系において、まず白板データを読み取る（Ｓ２１）。１ライン中の読取データの個数及び読取位置は任意に設定し、制御部１２により制御する。必要個数のデータを白板中より読み取った後、ランプを標準用紙の所定の位置に移動させる（Ｓ２２）。移動位置は任意に設定でき、制御部に於いて制御させる。標準用紙の読み取り（Ｓ２３）は、データ個数、読取位置とも白板読取時と同じ設定で行う。
【００２４】
同一位置（ＣＣＤ１２１上の共通のデバイス素子を使用）の読取信号に対し、白板読取時の信号レベルと用紙読取時の信号レベルの比を算出し、読み取った白板信号の総和に対する読み取った用紙信号の総和の比にもっとも近い値を示した読取位置を、データサンプリングに適する位置と判定する（Ｓ２４）。これは白板濃度のばらつき、白板上のゴミ、傷の位置を避け、適切な白板状態を判断するものである。
【００２５】
読取位置判定後、再度ランプを白板へ移動させる（Ｓ２５）。ここで先の判別点の位置にある白板データを読み取る（Ｓ２６）。更にまた、ランプを標準紙の読取ライン位置に移動させる（Ｓ２７）。ここは先ほどの読取位置決定のため、標準紙の読取ラインと同一ラインである。判別点の位置にある標準紙のデータを読み取る（Ｓ２８）。両者のデータよりＡ／Ｄリファレンスデータ、ＧＡＩＮ補正量、クランプ補正量を算出し、制御部１２のメモリ等の記憶素子に調整設定値として確定させる（Ｓ２９）。通常稼働時にはこれらの設定値を電源投入時の初期値として用いる。
【００２６】
図７に信号検出のためのシェーディング補正部１１１の機構を示す。ＩＰＵ１１内で画像処理に先立ち、入力画像の黒補正及びシェーディング補正を行う。ＳＢＵ１０の構成で示すように、ＣＣＤ出力はＥＶＥＮ、ＯＤＤ、２チャンネルに分けＳ／Ｈ処理を行っており、ＩＰＵ１１内においても両チャンネルの差分補正を行っている。このとき検出されるチャンネル間のレベル差をＣＰＵ１２を介しＳＢＵ１０にフィードバックし、読取レベル補正に用いる。
【００２７】
ＳＢＵ１０からのＡ／Ｄ変換後のディジタル信号を入力し、画素信号の時系列を偶数番目画素と奇数番目画素とに分離する（２０１）。この分離は、ＣＣＤ１２１からの時系列信号の開始位置を示すゲート信号に基づき実施する（図８参照）。分離されたチャンネルに対し、ＣＣＤ１２１の黒信号送出期間内において、入力信号の平均を算出する。黒レベルに関する奇数画素系列（ＯＤＤチャンネル）の平均レベル（２０２）と偶数画素系列（ＥＶＥＮチャンネル）の平均レベル（２０３）をそれぞれ求め、更に両レベルを合わせた黒信号送出期間中の黒レベルの平均値（２９４）を求める。これらの値は図２のＩＰＵ１１の構成に示すコマンドブロック１１５内の指定アドレスに格納し、ＣＰＵ１２から読める様に設定する。
【００２８】
また、ＣＰＵ１２のリード用のみではなく入力信号のレベル補正にも使用する。ＣＣＤ１２１の黒送出期間が終了し、読取画像信号が入力されたとき、先の黒画素平均値を黒オフセット調整（２０５）に用いる。入力信号レベルから、黒画素平均値を差し引く。ＳＢＵ１０の調整が良好に行われ、Ｅ／Ｏ差もなく、黒レベルも信号０であれば、オフセット調整後も信号レベルは入力時と変わらない。
【００２９】
黒オフセット調整後の信号に対し、白レベルに相当するピーク検知（２０６）を各読取ライン毎に行う。検出ピーク値の複数ビット値をＳＢＵ１０のゲイン制御信号（２０７）として、ＳＢＵ１０にフィードバックさせる。例えば、画像信号が８bit で量子化されているとき、中位の３bit をゲイン制御信号とする。上位の信号bit を用いるとゲイン変動に対するレスポンスが遅く、また下位のbit を用いるとノイズ変動が大きすぎるため、有用なレベル変動を早いレスポンスで検出するために中位のbit を用いる。
【００３０】
一方ゲイン制御信号生成（２０７）とは別に、入力画像信号のシェーディング補正（２０９）を行う。通常稼働時、原稿読み取りに先だって基準白板を読み取るとき、ランプの分光特性、レンズ系の減衰特性等を補正するため、白板信号を格納しシェーディングデータを生成（２０８）する。白板読取信号は１ラインのみの格納ではなく、白板上のゴミ・傷の影響を緩和するため、複数ラインの平均レベルを格納する。この中から白レベルのダイナミックレンジに関する信号抽出（２１０）を行い、コマンドブロック１１５の指定アドレスに格納し、ＣＰＵ１２から読めるように設定する。
【００３１】
入力原稿画像は、先のシェーディングデータを用い、分光補正を行うべくシェーディング補正を実施し、フィルタ、変倍、階調処理等必要な画像処理を施す。図２に示すように、これらの信号をプリントアウトに用いたり、外部Ｉ／Ｆ１１６を介して外部ユニットへ供給したりする。
【００３２】
図８にＳＢＵ１０、ＣＣＤ１２１からの黒設定期間、ピーク検出のための検出規定区間を示す。ＣＣＤ１２１の黒信号送出期間はXOPBSYNCと呼ばれるゲート信号で規定される。”LOW ”アクティブの制御信号で、アクティブ期間中が黒レベル算定のための信号がＣＣＤ１２１よりＩＰＵ１１に供給される。このアクティブ期間内において、偶数、奇数の分別を行うことでＳＢＵ１０でのＥＶＥＮ／ＯＤＤ両チャンネルと同期したチャンネル分離をＩＰＵ１１内においても実施できる。
【００３３】
ライン中のピーク信号、白レベル信号の検出は、読取ラインの有効画像領域内において行う。有効画像範囲は、XLGATEと呼ばれるゲート信号で規定し、”LOW ”アクティブの制御信号である。この範囲内でのみ入力信号補正、画像処理を実施する。
【００３４】
ＩＰＵ１１でのデータ検出、コマンドブロックでのレジスタ設定、ＣＰＵ１２からのデータ読みだしに関し、書き込み／読みだしのデータ衝突回避のための手順を図９及び図１０に示す。ＩＰＵ１１コマンドブロック内の同一アドレスに関する、ＩＰＵ１１のデータ書き込みとＣＰＵ１２のデータ読みだしをフラグ信号で優先権を指定する。白板のピーク検出、データ設定に関し FLG  PKと呼ぶ優先権設定のためのフラグ信号を定める。 FLG  PKが”HIGH”の場合、コマンドブロックのDPEAK と呼ぶレジスタ（固有のアドレスを持つ）に関し、ＣＰＵ１２へのデータ読みだし許可を与える。このフラグ状態の時の（ FLG  PK＝”HIGH”）ＩＰＵ１１は、DPEAK にデータの書き込みはできないものと規定する。逆に FLGPKが”LOW ”の時、DPEAK に対するＣＰＵ１２のデータ読みだしは禁止され、ＩＰＵ１１にデータ書き込みを許可する。これにより、ＣＰＵ１２のデータ読みだし中のデータの書き変わりを回避できる。
【００３５】
同様に、黒信号のＥ／Ｏ検出値、黒平均値等に関しては、 FLB  BOというフラグ信号で、各固有アドレスを持つレジスタに関する読みだし／書き込みの許可を設定する。 FLB  BOが”HIGH”の時各レジスタは一斉にＣＰＵ１２より各々のデータを読み出される。逆に FLB  BOが”LOW ”の期間中に検出、算出された各必要データ値は、各々対応するレジスタにＩＰＵ１１より書き込まれる。 FLG  PK同様、ＣＰＵ１２にレジスタの読み出し許可がある場合、ＩＰＵ１１からのデータ書き込みは禁止され、ＩＰＵ１１に書き込み許可がある場合、ＣＰＵ１２からの読み出しを禁止する。これにより、ＣＰＵ１２のデータ読み出し中のデータの書き変わりを回避できる。
【００３６】
基準白板濃度調整時の白板及び標準紙の読取制御は、FLAG1 というフラグ信号でデータの衝突を回避する。この場合、黒データの読み取りと異なる事は、黒信号に関してはXOPBSYNCのゲート信号で読み出し位置を規定したのに対し、濃度調整時の白板読み出しは読取位置を任意に設定できるようＣＰＵ１２より読取位置のアドレスを設定する。そのため読取位置設定のためのレジスタWADRS と読取データ設定のためのレジスタWDATA とを、フラグ信号により読取／書き込みを規定する。
【００３７】
FLAG1 が”HIGH”の時ＣＰＵ１２からの読取データWDATA の読み取りと読取位置のWADRS への書き込みを許可する。ＣＰＵ１２はFLAG1 の”HIGH”を検出した後WDATA の値を読み取り、次の読取位置をWADRS に書き込む。ＣＰＵ１２はWADRS 設定後FLAG1 を”LOW ”にセットする。
【００３８】
FLAG1 が”LOW ”の時、ＩＰＵ１１への白板、標準紙読取データの平均データ作成及び、WDATA への書き込みを許可する。補助制御信号として、平均データの作成及びデータ書き込みのタイミングをSH GT で規定する。ＩＰＵ１１はFLAG1 の”LOW ”を検出した後、ＣＰＵ１２のセットした読取位置をWADRS から読み出す。WADRS で指定された主走査中の読取位置を複数ラインに渡って読取重加算平均を算出する。読取ライン数はSH GT が”HIGH”の期間中で規定する。SH GT が”LOW ”に落ちたとき、計算した平均データ値をWDATA に書き込む。ＩＰＵ１１はWDATA 書き込み後、FLAG1 を”HIGH”にして、次の読取位置データの書き込み権限をＣＰＵ１２に渡す。
【００３９】
FLAG1 及びSH GT の制御信号により、ＣＰＵ１２の設定した読取位置の画像データを正しく読み取り、次の読取位置をセットする前にＣＰＵ１２に平均化データを読み取らせ、データの衝突を回避する。副走査方向の読取ライン数はSH GT で規定するが、複数ラインの平均により白板上のゴミ、傷の影響を緩和する。
【００４０】
ＩＰＵ１１で読み取られ、レジスタにセットされたデータは、ＣＰＵ１２によりＳＢＵ１０の各調整量としてフィードバックさせ、各レベル値が所定の許容範囲内に収まるまで、調整処理を続ける。処理の繰り返し回数は固定回数とせず、収束判定することで、再生装置の機械間ばらつきを一定量に押さえ込む。
【００４１】
調整の結果に関し、設定されたレジスタ値はＣＰＵ１２を介し読み出し検証できる。また、各機能ブロックでの調整量による入力画像への反映具合は実画像を、ＩＰＵ１１内のビデオパスを介し、外部Ｉ／Ｆ１１６から外部ユニットとしてＣＲＴを接続することで、直接検証できる。
【００４２】
ＩＰＵ１１内のどの処理過程での画像を検証するかは、操作部１３よりコマンドを入力し、ＣＰＵ１２を介して、ビデオバスの切り替えを行う。図２のシェーディングブロックからのビデオバスへの信号も詳細に経路を見れば、図７の各機能モジュールのビデオ信号を選択できる。例えば、ＳＢＵ１０のＡ／Ｄ変換器１２８の出力生データ、黒オフセット調整後の画像データ、生成されたシェーディングデータ、シェーディング補正後の画像データ等を切り替えられ、上記各調整量および各算出補正量の効果を目視できる。
【００４３】
上記の実施形態によれば下記の効果が生じる。
1)画像再生装置の製造出荷時及び保守点検時の読取レベルの調整を自動的に実施でき、その効果も外部装置に簡単に出力できるので、高い精度の調整を簡易に実施できる。
2)白板濃度調整位置を任意に設定できるので、白板上の傷、ゴミの影響を回避できる。簡易な手順でゴミ等の影響を取り除き、調整精度を高精度に行える。
3)専用の読取治具を必要とせず画像再生装置を構成する読取部からデータサンプルを行えるので、コストの削減と実機に即した調整精度を保証できる。
4)検出データと制御データを正しく保持でき、自動調整の精度を的確に保証できる。
5)読取画像、ＳＢＵ１０の基準白板の白レベル出力値の調整効果、ＳＢＵ１０の基準白板の白レベル出力値の調整のためにＩＰＵ１１からＳＢＵ１０にフィードバックされるフィードバック制御量をリアルタイムに目視でき、調整の検証を容易に行える。上記読取画像、上記ＳＢＵ１０の基準白板の白レベル出力値の調整効果、上記フィードバック制御量を示すデータには、例えば、上述したＳＢＵ１０のＡ／Ｄ変換器１２８の出力生データ、黒オフセット調整後の画像データ、生成されたシェーディングデータ、シェーディング補正後の画像データ等が含まれる。
【００４４】
【発明の効果】
以上の説明より明かなように、本発明の画像再生装置は、原稿を光学的に読み取り、読み取った画像を補正処理する。補正処理した処理画像を用紙に出力し、処理画像を外部ユニットと接続する。さらに、補正処理の手順を制御し、原稿を読み取るレベルの補正を自動的に行う。よって、画像再生装置の製造出荷時及び保守点検時の読取レベルの調整を自動的に実施でき、その結果を外部装置に簡単に出力できるので、高い精度の調整を簡易に実施できる。
【図面の簡単な説明】
【図１】本発明の画像再生装置の実施形態の制御構成を示すブロック図である。
【図２】図１の画像処理部の構成例を示すブロック図である。
【図３】画像読み取りの手順を示す機構図であり、（Ａ）が平面図、（Ｂ）が縦断面図である。
【図４】スキャナー部の構成例を示すブロック図である。
【図５】自動調整の処理手順を示すフローチャートである。
【図６】基準白板濃度調整の詳細手順例を示すフローチャートである。
【図７】画像処理部におけるシェーディング補正の構成例を示すブロック図である。
【図８】黒レベル、白レベルの信号検出手順を示す図である。
【図９】黒レベル調整、白レベル調整のタイミングを示す図である。
【図１０】基準白板濃度調整のデータ抽出のタイミングを示す図である。
【符号の説明】
１０    スキャナ部（ＳＢＵ）
１１    画像処理部（ＩＰＵ）
１２    制御部（ＣＰＵ）
１１１  シェーディング補正ブロック
１１２  フィルタ部
１１３  変倍ブロック
１１４  階調処理ブロック
１１５  コマンドブロック
１１６  外部Ｉ／Ｆ（外部出力手段）
１１７  ビデオバス１１７
１２１  ＣＣＤ（電荷結合素子部）
１２２  サンプルホールド回路（Ｓ／Ｈ）
１２３  ゼロクランプ回路（Ｚ／Ｃ）
１２４  ミキサー（ＭＩＸ）
１２５  バッファ
１２６  オートゲインコントロール（ＡＧＣ）
１２７  ゼロクランプ回路
１２８  Ａ／Ｄ変換器
【図１】
0003638708.tif 000002
【図２】
0003638708.tif 000003
【図３】
0003638708.tif 000004
【図４】
0003638708.tif 000005
【図５】
0003638708.tif 000006
【図６】
0003638708.tif 000007
【図７】
0003638708.tif 000008
【図８】
0003638708.tif 000009
【図９】
0003638708.tif 000010
【図１０】
0003638708.tif 000011